(57)【要約】【課題】著作権の適切な保護とユーザの利便性とを両立したコピー制御技術を提供する。【解決手段】記録再生装置は、コピー制御情報が付加されたコンテンツデータのコピー制御を実行するコピー制御部と、定期又は不定期に取得される現在日時に基づいて、内部時計の日時を修正する時間管理部と、を備える。前記コピー制御情報は、前記コンテンツデータのコピー許可期間を規定する情報を含んでいる。前記コピー制御部は、前記内部時計の日時と、前記コンテンツデータのコピー許可期間とを比較することによって、前記コンテンツデータのコピーの実行可否を判断する。前記コピー制御部は、前記コンテンツデータのコピーが実行された場合に、前記コンテンツデータの次回のコピーが所定期間制限されるように前記コンテンツデータのコピー許可期間を規定する情報を書き換える。【選択図】図１
2009076154.tif 000002
【特許請求の範囲】
【請求項１】
コピー制御情報が付加されたコンテンツデータのコピー制御を実行するコピー制御部と、
定期又は不定期に取得される現在日時に基づいて、内部時計の日時を修正する時間管理部と、を備え、
前記コピー制御情報は、前記コンテンツデータのコピー許可期間を規定する情報を含んでおり、
前記コピー制御部は、前記内部時計の日時と、前記コンテンツデータのコピー許可期間とを比較することによって、前記コンテンツデータのコピーの実行可否を判断し、
前記コピー制御部は、前記コンテンツデータのコピーが実行された場合に、前記コンテンツデータの次回のコピーが所定期間制限されるように前記コンテンツデータのコピー許可期間を規定する情報を書き換える
ことを特徴とする記録再生装置。
【請求項２】
前記コピー制御情報は、さらに、少なくともビットレート又は解像度を規定するデータ形式情報を含んでおり、
前記コピー制御部は、前記データ形式情報に従って前記コンテンツデータのコピーデータの形式を決定する
ことを特徴とする請求項１に記載の記録再生装置。
【請求項３】
前記コピー制御情報は、複数のデータ形式情報を含んでおり、
前記複数のデータ形式情報のそれぞれについて、前記コピー許可期間が設定されていることを特徴とする請求項２に記載の記録再生装置。
【請求項４】
ビットレート又は解像度が低いほど、次回のコピーが制限される期間が短い
ことを特徴とする請求項３に記載の記録再生装置。
【請求項５】
前記時間管理部は、前記現在日時と前記内部時計の日時との差が閾値以上の場合、前記内部時計の日時を修正し、
前記コピー制御部は、前記内部時計の日時が修正された場合、前記コンテンツデータのコピーを禁止する
ことを特徴とする請求項１乃至４のうちいずれか１項に記載の記録再生装置。
【請求項６】
前記時間管理部は、前記現在日時と前記内部時計の日時との差が閾値以上の場合、前記内部時計の日時を修正し、
前記コピー制御部は、前記内部時計の日時の修正の間隔が閾値以下の場合、前記コンテンツデータのコピーを禁止する
ことを特徴とする請求項１乃至４のうちいずれか１項に記載の記録再生装置。
【請求項７】
前記現在日時は、デジタル放送に付加されているデータ、ネットワークを介してサーバから受信するデータ、または、電波時計、から取得される
ことを特徴とする請求項１乃至６のうちいずれか１項に記載の記録再生装置。
【請求項８】
前記コンテンツデータのコピーデータに付加されるコピー制御情報の内容は、前記コンテンツデータのオリジナルデータに付加されているコピー制御情報に従って設定される
ことを特徴とする請求項１乃至７のうちいずれか１項に記載の記録再生装置。
【請求項９】
記録再生装置の制御方法であって、
コピー制御情報が付加されたコンテンツデータのコピー制御を実行する工程と、
定期又は不定期に取得される現在日時に基づいて、内部時計の日時を修正する工程と、を備え、
前記コピー制御情報は、前記コンテンツデータのコピー許可期間を規定する情報を含んでおり、
前記内部時計の日時と、前記コンテンツデータのコピー許可期間とを比較することによって、前記コンテンツデータのコピーの実行可否が判断され、
前記コンテンツデータのコピーが実行された場合に、前記コンテンツデータの次回のコピーが所定期間制限されるように前記コンテンツデータのコピー許可期間を規定する情報が書き換えられる
ことを特徴とする記録再生装置の制御方法。
【発明の詳細な説明】
【技術分野】
【０００１】
本発明は、デジタルコンテンツの記録再生装置及びその制御方法に関し、特に、コンテンツデータのコピー制御に関する。
【背景技術】
【０００２】
テレビ受像機で受信したデジタル放送の番組を、ＩＥＥＥ１３９４やＬＡＮ等の伝送路を用いてＤ−ＶＨＳやＨＤＤレコーダ等のＰＶＲ（Personal Video Recorder）に録画す
る方法が知られている。また、ＰＶＲ自身が番組を受信し録画する方法も知られている。これらの録画データはデジタルで記録されるため、コピーを行っても品質劣化が無いか、もしくは少ない。そこで、著作権保護の観点より、コピーを制限するためのコピー制御情報が番組データに付加されている。
【０００３】
デジタル放送におけるコピー制御情報は、ＰＭＴ（Program Map Table）、ＳＤＴ（Service Description Table）、ＥＩＴ（Event Information Table）等のテーブル内に、デ
ジタルコピー制御記述子やコンテント利用記述子として記述されている。コピー制御のモードには、「Copy Freely」（以下コピーフリー）、「No More Copies」（以下コピー禁
止２）、「Copy One Generation」（以下コピーワンス）、「Copy Never」（以下コピー
禁止１）の４つがある。ＤＶＤ、ＨＤ  ＤＶＤ、Ｂｌｕ−ｒａｙ  Ｄｉｓｃ等のパッケージメディアにおいても、具体的方式は異なるが、同様のコピー制御が採用されている。
【０００４】
しかし、このような従来のコピー制御はユーザにとっては使い勝手の良いものではない。たとえば、バックアップや私的利用の目的でのコピーも制限されてしまうからである。
【０００５】
そこで、番組を受信し記録する際に記録媒体に複数（２つ）の同一データを記録し、一方を通常視聴用、他方をバックアップ用とする方法が提案されている（特許文献１）。また、バックアップの回数を制限する方法、及び、他の再生装置で再生するためにビットレートやフォーマットを変換する方法が提案されている（特許文献２）。
【０００６】
しかし特許文献１の方法では、バックアップ用のコピーの数を制限することができないため、著作権の適切な保護を図ることが困難である。特許文献２の方法では、バックアップ回数を規定することができるが、その回数分データがコピーされてしまうため、著作権の保護が重要な初期の期間においてコピーの歯止めをかけることが困難である。
【特許文献１】特開２００２−３１９２２７号公報
【特許文献２】特開２００６−１１６０９０号公報
【発明の開示】
【発明が解決しようとする課題】
【０００７】
本発明は上記実情に鑑みてなされたものであって、著作権の適切な保護とユーザの利便性とを両立したコピー制御技術を提供することを目的とする。
【課題を解決するための手段】
【０００８】
本発明の記録再生装置は、
コピー制御情報が付加されたコンテンツデータのコピー制御を実行するコピー制御部と、
定期又は不定期に取得される現在日時に基づいて、内部時計の日時を修正する時間管理部と、を備え、
前記コピー制御情報は、前記コンテンツデータのコピー許可期間を規定する情報を含ん
でおり、
前記コピー制御部は、前記内部時計の日時と、前記コンテンツデータのコピー許可期間とを比較することによって、前記コンテンツデータのコピーの実行可否を判断し、
前記コピー制御部は、前記コンテンツデータのコピーが実行された場合に、前記コンテンツデータの次回のコピーが所定期間制限されるように前記コンテンツデータのコピー許可期間を規定する情報を書き換えることを特徴とする記録再生装置である。
【０００９】
本発明の記録再生装置の制御方法は、
コピー制御情報が付加されたコンテンツデータのコピー制御を実行する工程と、
定期又は不定期に取得される現在日時に基づいて、内部時計の日時を修正する工程と、を備え、
前記コピー制御情報は、前記コンテンツデータのコピー許可期間を規定する情報を含んでおり、
前記内部時計の日時と、前記コンテンツデータのコピー許可期間とを比較することによって、前記コンテンツデータのコピーの実行可否が判断され、
前記コンテンツデータのコピーが実行された場合に、前記コンテンツデータの次回のコピーが所定期間制限されるように前記コンテンツデータのコピー許可期間を規定する情報が書き換えられることを特徴とする記録再生装置の制御方法である。
【発明の効果】
【００１０】
本発明によれば、著作権の適切な保護とユーザの利便性とを両立したコピー制御が可能である。
【発明を実施するための最良の形態】
【００１１】
以下、本発明の好適な実施形態を例示する。
【００１２】
（第１実施形態）
記録再生装置は、放送波を受信可能なチューナを有し、当該チューナで視聴者が指定したチャンネルを受信し、受信したチャンネルの番組を表示部に表示し蓄積用メモリに記録することが可能である。記録再生装置は、視聴者が録画開始の指示をすると内部蓄積制御部を介して蓄積用メモリにＴＳデータ（コンテンツデータ）を記録する。
【００１３】
ＴＳデータにはコピー制御情報が付加されている。記録再生装置のコピー制御部は、コピー制御情報に基づいて当該ＴＳデータの記録及びコピー制御を実行する。「コピー禁止１」の場合は、ＴＳデータの記録は行われない。「コピーワンス」の場合は、ＴＳデータは蓄積用メモリへ記録され、記録されたＴＳデータのコピー制御情報は「コピー禁止２」に設定される。「コピーフリー」の場合は、ＴＳデータは「コピーフリー」で記録される。
【００１４】
コピー制御情報は、ＴＳデータのコピー許可期間を規定する情報である「日時によるコピー制御項目」を含んでいる。「コピーワンス」の場合、ＴＳデータは「コピー禁止２」に設定された上で「コピー日時」と「コピー禁止期間」とが設定され、内部蓄積制御部にて暗号化され、蓄積用メモリに記録される。「コピー日時」はコピーが作成された日時を示し、「コピー禁止期間」はコピーが禁止される期間の長さを示している。ただし、ＴＳデータを最初に記録するときには、「コピー日時」にオリジナルのＴＳデータの記録日時が設定される。たとえば、コピー日時（記録日時）が２００７／１／１であり、コピー禁止期間が１２ヶ月の場合は、２００８／１／１まで当該ＴＳデータのコピーが禁止され、それ以降はコピーが許可される。
【００１５】
記録再生装置は受信したＴＳデータから現在日時を抽出し、時間管理部によって記録再
生装置の内部時計の日時と現在日時との差異を監視する。現在日時と内部時計の日時との差が閾値以上の場合、時間管理部は内部時計の日時を修正する。内部時計のズレが大きいとき、時間管理部により内部時計が修正されたとき、あるいは、内部時計の修正が頻繁に発生したとき（修正間隔が閾値以下のとき）などには、ＴＳデータのコピーが禁止又は中止される。内部時計の日時が改ざんされたおそれがあるからである。これにより、日時によるコピー制御の安全性及び信頼性が確保される。
【００１６】
記録再生装置の蓄積用メモリ（第一の記録媒体）に記録されているＴＳデータをＰＶＲのような外部記録装置（第二の記録媒体）にコピーする処理は、次のように行う。記録再生装置は外部機器制御部を有する。外部機器制御部は、蓄積用メモリ内のＴＳデータのコピー制御情報に基づいて外部記録装置に記録用ＴＳデータを出力する。「コピーフリー」の場合、内部蓄積制御部がデータを読み出し、デマルチプレクサがコピー制御情報の確認をコピー制御部との間で行う。ＴＳデータは、マルチプレクサ及び外部機器制御部を経由してコピーフリーとして外部記録装置へ出力される。「コピー禁止２」の場合、内部蓄積制御部がデータを読み出して復号し、デマルチプレクサがコピー制御情報の確認をコピー制御部との間で行う。コピー制御部は、内部時計の日時とコピー許可期間とを比較することにより、当該ＴＳデータのコピーの実行可否を判断する。コピー許可期間内であれば、マルチプレクサがコピー制御情報の日時によるコピー制御項目を修正し、外部機器制御部がＴＳデータに所定の暗号化を施し「コピー禁止２」として外部記録装置へ出力する。
【００１７】
更に、コピー制御部は、ＴＳデータのコピーが実行された場合に、蓄積用メモリに記憶されているオリジナルのＴＳデータのコピー制御情報を更新する。具体的には、オリジナルのＴＳデータの次回のコピーが所定期間制限されるように、コピー許可期間を規定する「記録日時」と「コピー禁止期間」とが書き換えられる。
【００１８】
以上述べたコピー制御によれば、コンテンツデータの提供時から一定期間のあいだのコピーが禁止される。また、コピー許可後も、コピーが行われるたびに一定期間のあいだコピーが禁止される。よって、データ提供後すぐにコピーが出回ったり、多量のコピーが作成されたりすることが防止され、著作権の適切な保護が図られる。また、時間的制限はあるもののコンテンツデータのコピーが可能であるため、バックアップ作成などのユーザ要求を叶えることができる。
【００１９】
（第２実施形態）
第２実施形態では、コピー制御情報が、さらに、データ形式情報を含んでいる。データ形式情報は、コピーデータの形式を規定するためのものであり、たとえば、ビットレート、解像度、フォーマット（エンコード）などの情報を含んでいる。コピー制御部は、コピーを実行する際に、オリジナルデータのコピー制御情報に含まれるデータ形式情報に従ってコピーデータの形式を決定する。これにより、コピーデータの品質（ビットレートや解像度）等を自動で制御することができる。たとえば、私的利用のために低品質のコピーのみ許可する、といった仕組みが実現できる。
【００２０】
コピー制御情報が、複数のデータ形式情報を含んでおり、ユーザがコピーの際に所望のデータ形式を選択可能であるとよい。これにより、コピー先の装置の処理能力や表示能力、あるいは、コピーデータの用途などに応じて、適切なデータ形式を適用可能となる。更に、データ形式ごとにコピー許可期間が設定可能であるとよい。たとえば、ビットレートや解像度が低いほど、コピー禁止期間が短くなるような仕組みが好ましい。これにより、高品質なコピーの多量作成が制限される一方で、低品質なコピーについては短期間でコピーが許可される。よって、著作権の保護とユーザの利便性との両立が可能である。
【００２１】
（第３実施形態）
第３実施形態では、記録再生装置が、ネットワークを介してコンテンツサーバに接続可能なネットワーク送受信部を有する。記録再生装置は、コンテンツサーバから視聴者が指定したデジタルコンテンツを受信し、受信したコンテンツを表示部に表示し蓄積用メモリに記録することが可能である。記録再生装置は、視聴者が録画開始の指示をすると内部蓄積制御部を介して蓄積用メモリにコンテンツデータを記録する。また、記録再生装置は、ネットワークを介して、信頼のおけるＮＴＰ（Network Time Protocol）サーバから現在
日時を受信し、時間管理部によって記録再生装置の内部時計の日時と現在日時との差異を監視する。
【００２２】
このように、ネットワーク経由で取得したデジタルコンテンツデータについても、第１又は第２実施形態と同様のコピー制御を行うことで、著作権の適切な保護とユーザの利便性の向上とを図ることができる。
【００２３】
（第４実施形態）
第４実施形態では、記録再生装置が、ＤＶＤなどのパッケージメディアに記録されたデジタルコンテンツデータを再生して表示部に表示可能である。また記録再生装置は、当該コンテンツデータを蓄積用メモリ又はＰＶＲのような外部機器に記録することが可能である。また、記録再生装置は、標準電波を受信するための電波時計を有し、電波時計から現在日時を抽出する。
【００２４】
このように、パッケージメディアに記録されたコンテンツデータについても、第１又は第２実施形態と同様のコピー制御を行うことで、著作権の適切な保護とユーザの利便性の向上とを図ることができる。
【００２５】
なお、上記第１乃至第４実施形態の構成は適宜組み合わせることが可能である。
【実施例】
【００２６】
次に、図面を参照して本発明の記録再生装置の好適な実施例を具体的に説明する。各実施例では、本発明の記録再生装置及びその制御方法をＤＴＶ（Digital Television）に適用した例を示す。しかし、本発明の適用範囲はこれに限らず、ＰＶＲ（Personal Video Recorder）やＳＴＢ（Set Top Box）などに本発明を適用することも好ましい。
【００２７】
＜実施例１＞
（システム構成）
図２は、デジタル放送を受信し録画するシステムの構成例を示す図である。
【００２８】
２０１は、ＤＴＶである。ＤＴＶ２０１は、デジタル放送を受信する機能、受信した放送データをデコードして映像や音声を出力する機能、内蔵の記録メディアに対して放送データを記録・再生する機能などを備える。記録メディアはハードディスクや半導体メモリ等が考えられる。
【００２９】
２０２は、ＰＶＲである。ＰＶＲ２０２は、記録メディアに映像データや音声データを記録する装置である。記録メディアはＤＶＤなどの光ディスクや、ハードディスクなどの磁気ディスクなどが考えられる。
【００３０】
２０３は、地上デジタル放送信号、衛星デジタル放送信号を受信するためのアンテナである。２０４は、ＤＴＶ２０１に指示命令を送信するためのリモートコントローラＡ（以後、リモコンＡと称する）である。２０５は、ＰＶＲ２０２に指示命令を送信するためのリモートコントローラＢ（以後、リモコンＢと称する）である。２０６は、アンテナ２０３とＤＴＶ２０１及びＰＶＲ２０２とを接続するためのアンテナケーブルである。２０７
は、ＤＴＶ２０１とＰＶＲ２０２を接続するためのデジタルケーブルである。このデジタルケーブルはＩＥＥＥ１３９４形式や、ＬＡＮ（Local Area Network）などが考えられる。特に伝送形式は問わない。
【００３１】
なお、図２ではＤＴＶ２０１、ＰＶＲ２０２をそれぞれ別の筐体として示しているが、本発明はシステム構成によって限定されるものではない。例えば、ＤＴＶ２０１とＰＶＲ２０２は同一の筐体に納められていてもよい。
【００３２】
また、アンテナ２０３の代わりにケーブル放送を用いてテレビジョン放送データを受信する構成にも本発明は適用できる。また、ＩＰ放送の場合はアンテナ２０３の代わりにネットワーク経由で番組データを受信する。
【００３３】
（ＤＴＶの構成）
図１は、実施例１におけるＤＴＶ２０１の機能構成を示すブロック図である。
【００３４】
１０１は、チューナ部である。チューナ部１０１は、アンテナ２０３から、地上波デジタル放送、ＢＳデジタル放送、ＣＳデジタル放送を受信し、ＴＳデータを生成する機能である。チューナ部１０１は、受信した信号に対して復調、誤り訂正等の処理を施した後、トランスポートストリーム（ＴＳ）と呼ばれる形式のデジタルデータを生成する。なお、選局指示を受けた場合にデジタル放送信号から所定のチャンネルのＴＳデータを生成するのがチューナ部１０１である。また、チューナ部１０１は、ＴＳデータに重畳されたＴＭＣＣ（Transmission and Multiplexing Configuration Control）信号を復調し出力する
。ＴＭＣＣ信号は伝送路上での信号単位（スロット）毎に、変調方式や誤り訂正方式を指定可能な階層変調方式を実現するための伝送多重制御信号である。
【００３５】
１０２は、デマルチプレクサである。デマルチプレクサ１０２は、ＴＳデータを、パケット識別子（ＰＩＤ）でフィルタリングして映像データ、音声データ、データ放送データ、各種テーブルデータ（ＰＡＴ、ＮＩＴ、ＰＭＴ、ＢＡＴ、ＳＤＴ、ＥＩＴ、ＴＯＴ、ＣＡＴ）等に分別する。ＴＳデータは、チューナ部１０１、外部機器制御部１１６、又は内部蓄積制御部１１７から入力される。デマルチプレクサ１０２は、映像データをＭＰＥＧ２ビデオデコーダ１０３へ渡し、音声データをＭＰＥＧ２オーディオデコーダ１０５へ渡し、その他のデータはシステム制御部１０７へ渡す。デマルチプレクサ１０２は、デスクランブル処理を行うために、ＣＡＭ（Conditional Access Module）１０８から暗号解読
キーを読み出し、暗号化されたＴＳデータを解読する。
【００３６】
１０３は、デマルチプレクサ１０２によって分別されたＭＰＥＧ２映像データを復号するＭＰＥＧ２ビデオデコーダである。
【００３７】
１０４は、表示データ生成部である。表示データ生成部１０４は、ＭＰＥＧ２ビデオデコーダ１０３により復号された映像信号と、システム制御部１０７により作られた表示データを元に描画した画像と、を合成する。表示データ生成部１０４はフレームメモリ１１４を用いて上記の画像を合成し、表示部１１９の仕様に合った信号フォーマットに変換する。
【００３８】
１０５は、デマルチプレクサ１０２によって分別されたＭＰＥＧ２音声データを復号するＭＰＥＧ２オーディオデコーダである。
【００３９】
１０６は、ＭＰＥＧ２オーディオデコーダ１０５の復号結果をステレオ音声等の音声信号としてスピーカ１２０に出力するためのＤ／Ａ変換部である。
【００４０】
１０７は、ＤＴＶ２０１が有する各機能を制御する制御手段としてのシステム制御部（ワークメモリを含む）である。システム制御部１０７は制御信号バス１２１を通して各動作機能部を制御する。システム制御部１０７はデマルチプレクサ１０２により分別されたＰＭＴ（Program Map Table）等のテーブルデータやデータ放送データを解読する処理を
行う。システム制御部１０７は表示データ生成部１０４に受け渡す表示情報を生成する処理を行う。より詳細には、システム制御部１０７の制御により図示しない画像描画部によって表示情報が描画され、描画された表示情報が表示データ生成部１０４に受け渡される。システム制御部１０７は番組情報等を番組情報記憶部１１１に記憶させる処理を行う。システム制御部１０７はファイル管理部１１０、番組情報記憶部１１１、時間管理部１１２、コピー制御部１１３の各機能を内部で行っても良い。
【００４１】
１０８は、コンディショナル・アクセス・モジュール（ＣＡＭ）である。ＣＡＭ１０８は、図示しないＣＰＵ、ＲＯＭ、ＲＡＭ等から構成されるＩＣカードの読取装置を含む。ＣＡＭ１０８は、ＩＣカードに含まれている暗号解読キーをデマルチプレクサ１０２に渡す。
【００４２】
１０９は、操作入力部である。操作入力部１０９は、リモコンＡ２０４等や図示しない操作キーの操作内容をシステム制御部１０７に伝える。システム制御部１０７には、放送受信に係る各種の操作が入力される
１１０は、ファイル管理部である。ファイル管理部１１０は、内部蓄積制御部１１７を介して、蓄積用メモリ１１８に記録されている番組データを含むファイルの情報を管理する機能である。
【００４３】
１１１は、番組情報記憶部である。番組情報記憶部１１１は、システム制御部１０７により処理された各種テーブルデータ、番組選択のための番組情報、ファイル管理部１１０により処理された蓄積用メモリ１１８に記録された番組データを含むファイルの情報など、を記憶、格納する。
【００４４】
１１２は、時間管理部である。時間管理部１１２は、定期又は不定期に取得される現在日時に基づいて、ＤＴＶ２０１の内部時計の日時を修正する機能である。具体的には、時間管理部１１２は、システム制御部１０７により処理されたＴＤＴ（Time Date Table）
またはＴＯＴ（Time Offset Table）の現在日時の情報を元に、内部時計の日時の修正、
変動監視を行う。時間管理部１１２は、取得された現在日時と内部時計の日時の差が、予め設定されている閾値以上になった場合に、内部時計の日時を修正する。また、時間管理部１１２は時間の経過と共にカウントアップするカウンタを有する。このカウンタは、内部時計が修正されたときにリセットされる。つまりカウンタの値は、内部時計の日時修正の間隔を示すものである。時間管理部１１２は、日時修正の間隔が予め定められている閾値以下の場合（つまり、日時修正の発生頻度が異常に高い場合）、内部時計の日時が改ざんされたものとみなす。本実施例において、時間管理（現在日時の正確な把握）はコピー制御を行うために重要である。内部時計の改ざんを防止するため、何らかの理由で放送受信が途切れてしまった場合においてもコピー制御部１１３に通知を行う。
【００４５】
１１３は、コピー制御部である。コピー制御部１１３は、コピー制御情報が付加されたデジタルコンテンツデータのコピー制御を実行する機能である。具体的には、コピー制御部１１３は、システム制御部１０７により処理されたＰＭＴ（Program Map Table）のデ
ジタルコピー制御記述子とコンテント利用記述子の値からコピー制御情報を取得し、コピー制御情報に対応したコピー制御を行う。コピー制御部１１３は時間管理部１１２において現在日時の変動を通知された場合、現在日時の改ざんが行われた可能性があると判断し日時によるコピー制御を制限する。コピー制御部１１３はマルチプレクサ１１５にて多重化するＰＭＴ、ＥＴＩ、ＳＤＴのデジタルコピー制御記述子とコンテント利用記述子を変
更する。
【００４６】
１１４は、表示データ生成部１０４が画像を合成する際に、画像の一時蓄積用として使用するフレームメモリである。
【００４７】
１１５は、デマルチプレクサ１０２によって分別されたパケットデータを録画用番組データである蓄積用ＴＳデータに結合するマルチプレクサである。
【００４８】
１１６は、外部機器制御部である。外部機器制御部１１６は、マルチプレクサ１１５により再結合された記録用ＴＳデータをデジタルケーブル２０７で接続されたＰＶＲ２０２に出力する。外部機器制御部１１６はＴＳデータをＰＶＲ２０２に出力する機能だけでなく、ＰＶＲ２０２に記録されたＴＳデータの入力やファイル情報の入力等の制御機能全般を有する。外部機器制御部１１６はＰＶＲ２０２との間で機器認証処理や暗号・復号処理を行う。
【００４９】
１１７は、マルチプレクサ１１５により再結合された記録用ＴＳデータを内蔵の蓄積用メモリ１１８に記録する内部蓄積制御部である。内部蓄積制御部１１７はＴＳデータを蓄積用メモリ１１８に記録する機能だけでなく、蓄積用メモリ１１８に記録されたＴＳデータを入力する制御機能を有する。内部蓄積制御部１１７はＴＳデータを記録・再生する際、必要に応じてローカルな暗号・復号処理を行う。
【００５０】
１１８は、内部蓄積制御部１１７が扱うＴＳデータを記録・再生するための蓄積用メモリである。蓄積用メモリ１１８は電源を切っても内容を失わないよう磁気ディスク、フラッシュメモリ等が用いられる。
【００５１】
１１９は、表示データ生成部１０４により生成された画像データを表示する表示部である。表示部１１９は、ＣＲＴ（Cathode Ray Tube）、液晶、プラズマ、ＦＥＤ（Field Emission Display）、あるいは、ＥＬ（Electroluminescence）等を用いたモジュールであ
る。
【００５２】
１２０は、スピーカである。スピーカ１２０は、Ｄ／Ａ変換部１０６より出力される音声信号を音に変換し、ステレオの場合は２ｃｈ出力、サラウンドの場合は５．１ｃｈ出力を行う。
【００５３】
１２１は、システム制御部１０７と各動作機能部をつなぐ制御信号バスである。
【００５４】
（選局処理）
デジタル放送の選局に関する処理を説明する。
【００５５】
まず、視聴者がリモコンＡ２０４等を用いてチャンネルを指示する。この指示が操作入力部１０９を経てチャンネル情報（サービスＩＤ）としてシステム制御部１０７に入力される。システム制御部１０７はチャンネル情報に基づいて、周波数やＴＳＩＤ等の情報を生成する。ＴＳＩＤとはトランスポートストリームのＩＤ情報である。システム制御部１０７は周波数及びＴＳＩＤをチューナ部１０１に設定する。チューナ部１０１は、設定されたチャンネルのデータを受信し、受信した信号をＴＳデータに変換する。
【００５６】
チューナ部１０１で変換されたＴＳデータはデマルチプレクサ１０２によって映像データ、音声データ、その他のデータに分別される。映像データはＭＰＥＧ２ビデオデコーダ１０３によってデコードされフレームまたはフィールド単位の映像データとなる。また、音声データはＭＰＥＧ２オーディオデコーダ１０５によってデコードされ連続的な音声デ
ータとなる。その他のデータはシステム制御部１０７によって所定の処理がなされる。なお、チューナ部１０１から入力されたＴＳデータが暗号化されたスクランブル信号である場合、デマルチプレクサ１０２ではＣＡＭ１０８を用いて暗号解読処理を行う。
【００５７】
表示データ生成部１０４は、ＭＰＥＧ２ビデオデコーダ１０３でデコードされた映像データを表示用の映像データに変換する。また、Ｄ／Ａ変換部１０６はＭＰＥＧ２オーディオデコーダ１０５でデコードされた音声データに対してＤ／Ａ変換処理を実行する。変換処理によって、音声データはステレオの場合は左チャンネルと右チャンネルの信号として出力される。最終的に、映像データと音声データは表示部１１９とスピーカ１２０から視聴者が視聴可能な形態で出力される。
【００５８】
（録画処理）
デジタル放送の一般的な録画に関する処理を説明する。
【００５９】
デマルチプレクサ１０２までの処理は、上述した選局に関する処理と同様である。デマルチプレクサ１０２に入力されるＴＳデータはマルチプレクサ１１５によって記録用ＴＳデータに変換される。記録用ＴＳデータは外部機器制御部１１６および／または内部蓄積制御部１１７に入力される。その際、コピー制御部１１３によりコピーの可否の判定が行われ、マルチプレクサ１１５で多重するコピー制御情報の編集が行われる。
【００６０】
図３は、コピー制御情報の内、デジタルコピー制御記述子の例を示す。符号３０１の「digital_recording_control_data」が示す２ビットのデータは、００が「Copy Freely」
（コピーフリー）、０１が「No More Copies」（コピー禁止２）、１０が「Copy One Generation」（コピーワンス）、１１が「Copy Never」（コピー禁止１）を示す。
【００６１】
図４は、コピー制御情報の内、コンテント利用記述子の例を示す。この記述子の内容により、コピー制限がかかっている場合における記録方法、表示処理、出力方法などの処理方法が決定される。デジタルコピー制御記述子、コンテント利用記述子の詳細についてはＡＲＩＢ（社団法人電波産業会）ＳＴＤ−Ｂ１０「デジタル放送に使用する番組配列情報」を参照のこと。
【００６２】
これらの処理方法に対応して、外部機器制御部１１６および／または内部蓄積制御部１１７は、入力されたＴＳデータに対してＤＴＣＰ（Digital Transmission Content Protection）や独自暗号化処理等の著作権保護制御を行う。著作権保護処理が行われたＴＳデ
ータは、蓄積用メモリ１１８に記録されたり、デジタルケーブル２０７で接続されたＰＶＲ２０２に出力され記録されたりする。
【００６３】
また、ＰＶＲ２０２がＤＴＶ２０１と同等の構成を有している場合、外部機器制御部１１６がＰＶＲ２０２に対してチャンネルを指定すると共に録画の指示を送信することでＰＶＲ２０２の内部の蓄積用メモリに記録させることができる。さらに、ＰＶＲ２０２は専用のリモコンＢ２０５を有しており、ＤＴＶ２０１とは独立に録画動作させることも可能である。
【００６４】
（ＰＶＲに記録されたデータの再生処理）
次に、ＰＶＲ２０２に記録されたＴＳデータの再生処理について説明する。
【００６５】
ファイル管理部１１０は、外部機器制御部１１６を介してＰＶＲ２０２に記録されている番組データを含むファイルの情報を受信する。ファイル管理部１１０は、受信したファイル情報から番組リストを作成し、番組リストを表示部１１９に表示する。受信するファイル情報は、例えばファイル名、番組名、放送の開始時間などの情報である。番組リスト
には、例えば日付、番組名、放送チャンネル、録画時間、コピーの可否などの情報が表示される。視聴者は、リモコンＡ２０４を用いて、番組リストの中から再生する番組を選択する。
【００６６】
外部機器制御部１１６は、選択された番組のＴＳデータをデジタルケーブル２０７を介してＰＶＲ２０２から受け取る。著作権保護処理をされたＴＳデータである場合、ＤＴＣＰ等の処理シーケンスが実行される。ＴＳデータは外部機器制御部１１６からデマルチプレクサ１０２に入力される。デマルチプレクサ１０２は、ＴＳデータを映像データ、音声データ、その他のデータに分別する。分別された映像データはＭＰＥＧ２ビデオデコーダ１０３によってデコードされる。また、音声データはＭＰＥＧ２オーディオデコーダ１０５によってデコードされる。その他のデータはシステム制御部１０７によって所定の処理がなされる。デコードされた各データに対する処理は、上述した選局処理と同様なので説明を省略する。
【００６７】
（蓄積用メモリに記録されたデータの再生処理）
次に、蓄積用メモリ１１８に記録されたＴＳデータの再生処理について説明する。
【００６８】
基本的な処理の内容はＰＶＲの場合と同様である。ただし、外部機器制御部１１６の代わりに、内部蓄積制御部１１７が番組データを処理する。著作権保護処理は外部の場合と内部の場合では異なる。独自暗号化が行われている場合は暗号の復号処理が行われる。蓄積用メモリ１１８に記録されている番組データの情報は、蓄積用メモリ１１８または番組情報記憶部１１１に記録されている。ファイル管理部１１０は、これらの情報を元に番組リストを作成、表示する。
【００６９】
（日時によるコピー制御項目）
図６は、コピー制御情報に含まれる「日時によるコピー制御項目」の例を示す。コピー制御情報にはデジタルコピー制御記述子とコンテント利用記述子とがあるが、本実施例では、コンテント利用記述子の拡張により日時によるコピー制御項目が実装される。
【００７０】
６０１は、「reserved_future_use」であり、８ビットは将来の予約とする。
【００７１】
６０２は、「date_limit_mode」であり、日時によるコピー制限を示す４ビットの情報
である。各モードの制御内容は以下のとおりである。
【表１】
2009076154.tif 000003
【００７２】
６０３は、「reserved_future_use」であり、４ビットは将来の予約とする。
【００７３】
６０４は、「reserved_future_use」であり、２ビットは将来の予約とする。
【００７４】
６０５は、「date_limit_period」であり、コピー禁止期間（コピーを許可するまでの
期間の長さ）を示す６ビットの情報である。００００００は期間制限なしでコピー許可とし、それ以外はコピー許可までの月数を示す。例えば００１１００の場合は１２ヶ月となり、記録された日から１年経っていればコピーが可能であることを示す。
【表２】
2009076154.tif 000004
【００７５】
６０６は、「copy_date_tag」であり、次に続く４４ビットのデータがコピー日時情報
であることを示す４ビットの情報である。例えば１１１１などとする。
【００７６】
６０７は、「copy_date」でコピー日時を示す４４ビットの情報である。上位２０ビッ
トは年月日を示しており、修正ユリウス日（ＭＪＤ）の下位２０ビットで符号化したものを用いる。この２０ビットのデータで１００年以上を判別することが可能である。下位２
４ビットは時間を示し時分秒を６個の４ビット２進化１０進数（ＢＣＤ）で符号化したものを用いる。
【００７７】
上記情報と現在日時を照合することでコピー制御を行うものとする。
【００７８】
（コピー制御処理）
図５を用いて蓄積用メモリ１１８に記録されたＴＳデータをＰＶＲ２０２にコピーする処理について説明する。図５は、ＤＴＶ２０１の処理フローである。以下の処理は図１に示したシステム制御部１０７が各動作機能部を制御して更に外部機器制御部１１６を介してＰＶＲ２０２を制御するものである。よって、文中でＤＴＶ２０１の制御においては「システム制御部１０７」と言う記述を省略し、ＰＶＲ２０２の制御においては「外部機器制御部１１６を介する」と言う記述を省略する。
【００７９】
図５は、ＤＴＶ２０１が通常の放送を受信している状態において、コピーの指示が行われた際のフローである。視聴者はリモコンＡ２０４を用いて番組データのコピーを指示する。その指示は、操作入力部１０９を介してシステム制御部１０７に伝えられる。
【００８０】
ステップＳ５０１において、コピー制御部１１３はコピー対象のＴＳデータのコピー制御情報を判定する。内蔵の蓄積用メモリ１１８からＰＶＲ２０２へのコピーの場合、内部蓄積制御部１１７は蓄積用メモリ１１８からＴＳデータを読み出しデマルチプレクサ１０２にデータを渡し、コピー制御部１１３との間でコピー制御情報のデジタルコピー制御記述子を処理する。その結果コピーフリーの場合はステップＳ５０２へ移行し、コピーフリーでなければステップＳ５０５へ移行する。通常、コピー制御情報が記されているＰＭＴは３０秒毎にＴＳデータに挿入されているので、コピー制御情報の判定も３０秒毎に行うことが好ましい。
【００８１】
ステップＳ５０２において、コピーフリーのデータである場合、コピー制御部１１３は、コピーを行うかどうかの確認を視聴者に行う。
【００８２】
ステップＳ５０３において、コピー制御部１１３はコピーを実行する場合はＳ５０４へ移行し、コピーを行わない場合は終了する。
【００８３】
ステップＳ５０４において、コピー制御部１１３がコピーを実行する。蓄積用メモリ１１８のＴＳデータは内部蓄積制御部１１７、デマルチプレクサ１０２、マルチプレクサ１１５、外部機器制御部１１６の経路を通ってＰＶＲ２０２に記録される。コピーフリーのコンテンツであるので著作権保護に関わる暗号化は行われない。
【００８４】
ステップＳ５０５において、コピーフリーのデータでない場合、コピー制御部１１３はコピー制御情報に日時による制御項目があるかどうかを確認する。日時による制御項目は図６に示したコンテント利用記述子を利用したものが考えられる。コピー制御部１１３は、date_limit_mode６０２で日時によるコピー制御が行われているかを検出し、オリジナ
ルデータとコピーデータのコピー制御を決定する。またコピー制御部１１３は、date_limit_period６０５でコピー禁止期間を読み出し、copy_date_tag６０６及びcopy_date６０
７でコピー日時を読み出す。
【００８５】
なお、コピー制御情報に日時によるコピー制御項目が含まれていない場合、コピー制御部１１３は、当該データはコピーできないコンテンツであることを表示し、終了する（不図示）。
【００８６】
ステップＳ５０６において、コピー制御部１１３は、コピー日時にコピー禁止期間を加
算することにより、コピー可能日時を算出する。コピー制御部１１３は、内部時計の日時と、算出したコピー可能日時とを比較することによって、コピーの実行可否を判断する。コピー制御部１１３は、内部時計の日時がコピー可能日時前の場合はコピー否、内部時計の日時がコピー可能日時以降の場合はコピー可と判定する。
【００８７】
ステップＳ５０７において、コピー可の場合はステップＳ５１０へ移行し、コピー否の場合はステップＳ５０８へ移行する。
【００８８】
ステップＳ５０８において、コピー制御部１１３はコピー可能日時を表示する。図７Ａにこの場合の画面表示例を示す。
【００８９】
ステップＳ５０９において、ファイル管理部１１０が、番組情報記憶部１１１又は蓄積用メモリ１１８に記憶されている、当該ＴＳデータのファイル情報に、コピー可能日時の情報を記録する。これにより、ファイル情報を参照するだけで当該データのコピー可能日時やコピーの可否を知ることができるようになる。たとえば、図７Ｂは、コピー可能日時が到来したときに、コピーが可能なった旨をユーザに知らせるメッセージの表示例である。図７Ｃは、録画番組リストに、コピー可能かどうかを○または×で表示する表示例である。
【００９０】
ステップＳ５１０において、コピー制御部１１３は、今コピーが実行されたとしたら次回のコピーはいつから可能になるかを計算し、その日時を表示する。
【００９１】
ステップＳ５１１において、コピー制御部１１３は、コピーを行うかどうかを視聴者に確認する。図７Ｄに確認画面の表示例を示す。
【００９２】
ステップＳ５１２において、コピー制御部１１３はコピーを実行する場合はＳ５１３へ移行し、コピーを行わない場合は終了する。
【００９３】
ステップＳ５１３において、コピー制御部１１３はコピーするＴＳデータのコピー制御情報として多重化するデータと、オリジナルのＴＳデータのコピー制御情報として多重化するデータをdate_limit_mode６０２の指定に従い作成する。
【００９４】
ステップＳ５１４において、コピー制御部１１３はコピーを作成する。蓄積用メモリ１１８のＴＳデータは内部蓄積制御部１１７、デマルチプレクサ１０２、マルチプレクサ１１５、外部機器制御部１１６の経路を通ってＰＶＲ２０２に記録される。その際、マルチプレクサ１１５にてコピーデータ用に作成されたコピー制御情報を多重化し、出力制限がある場合は外部機器制御部１１６にて暗号化を行う。
【００９５】
ステップＳ５１５において、コピー制御部１１３はオリジナルのＴＳデータのコピー制御情報の変更を行い終了する。オリジナルのＴＳデータのコピー制御情報の変更はコピーのＴＳデータの作成と同時に行ってもよく、読み出したデータを修正して記録できれば手段は選ばない。
【００９６】
以上説明したように、本実施例では、放送番組のデータに日時によるコピー制御項目を追加し、時間管理部１１２において現在日時を常に監視し一定期間日時に大きな変動が起こっていないことを保証する。そして、コピー制御部１１３にて日時によるコピー制御項目の判定を行うことで、私的利用におけるコピーを可能とする一方で、多量のコピー作成を抑制可能となる。
【００９７】
＜実施例２＞
次に、本発明の実施例２を説明する。実施例１との差異はオリジナルコンテンツのコピーを行う時の条件としてビットレートまたは／及び解像度または／及びフォーマットを変更できる点が追加されていることである。
【００９８】
システム構成については、実施例１のもの（図２）と同様である。
【００９９】
（ＤＴＶの構成）
図８は、実施例２におけるＤＴＶ２０１の機能構成を示すブロック図である。実施例１の構成（図１）と同等の機能のものは同一の符号が付されている。
【０１００】
８０１は、デマルチプレクサである。デマルチプレクサ８０１は、ＴＳデータを、パケット識別子（ＰＩＤ）でフィルタリングして映像データ、音声データ、データ放送データ、各種テーブルデータ（ＰＡＴ、ＮＩＴ、ＰＭＴ、ＢＡＴ、ＳＤＴ、ＥＩＴ、ＴＯＴ、ＣＡＴ）等に分別する。ＴＳデータは、チューナ部１０１、外部機器制御部１１６、又は、内部蓄積制御部１１７から入力される。デマルチプレクサ８０１は、映像データをデータフォーマットの種類に応じてＭＰＥＧ２ビデオデコーダ１０３またはビデオデコーダ８０２へ渡す。デマルチプレクサ８０１は、音声データをデータフォーマットの種類に応じてＭＰＥＧ２オーディオデコーダ１０５またはオーディオデコーダ８０３へ渡す。その他のデータはシステム制御部１０７へ渡される。デマルチプレクサ８０１は、デスクランブル処理を行うために、ＣＡＭ１０８から暗号解読キーを読み出し、暗号化されたＴＳデータを解読する。
【０１０１】
８０２は、デマルチプレクサ８０１によって分別されたＭＰＥＧ２映像データではないビデオフォーマットの映像データを復号するビデオデコーダである。
【０１０２】
８０３は、デマルチプレクサ８０１によって分別されたＭＰＥＧ２音声データではないオーディオフォーマットの音声データを復号するオーディオデコーダである。
【０１０３】
８０４は、オリジナルコンテンツのコピー制御情報に従って指定されたビットレートまたは／及び解像度または／及びフォーマットの条件に従い映像データの圧縮を行うビデオエンコーダである。
【０１０４】
８０５は、オリジナルコンテンツのコピー制御情報に従って指定されたビットレートまたは／及びフォーマットの条件に従い音声データの圧縮を行うオーディオエンコーダである。
【０１０５】
８０６は、マルチプレクサである。マルチプレクサ８０６は、デマルチプレクサ８０１によって分別されたパケットデータを録画用番組データである記録用ＴＳデータに結合する。あるいは、マルチプレクサ８０６は、ビデオエンコーダ８０４からの映像データとオーディオエンコーダからの音声データとシステム制御部１０７からのその他のテーブルデータとをパケット化し、記録用ＴＳデータに結合する
（日時によるコピー制御項目）
図９は、実施例２における日時によるコピー制御項目の例を示す。本実施例では、コンテント利用記述子の拡張により日時によるコピー制御項目が実装される。実施例１の図６と同等の機能のものは同一の符号が付されている。
【０１０６】
９０１は、「num_of_date_limit」であり、次に続く日時によるコピー制限の数を示す
。この情報は、実施例１では「reserved_future_use」としていた。
【０１０７】
９０２は、複数種類のコピー制限を行うためのもので、num_of_date_limit９０１の数
だけ指定を行うことができる。よってビットレート毎にコピー制限の期間を設定できるようになる。
【０１０８】
９０３は、「date_limit_mode」であり、日時によるコピー制限を示す４ビットの情報
である。各モードの制御内容は以下のとおりである。００００〜００１１の４つは実施例１と同様のモードであり、０１００〜０１１１の４つが日時およびビットレートによる制限があるコピー制御のモードである。
【表３】
2009076154.tif 000005
【０１０９】
９０４は、「date_limit_resolution」であり、ビットレートまたは解像度毎の指定を
行う４ビットの情報である。この情報は、実施例１では「reserved_future_use」として
いた。本実施例の対応ビットレートまたは解像度の例を以下に示す。
【表４】
2009076154.tif 000006
【０１１０】
９０５は、「encode_type」であり、エンコードするフォーマットの指定を行う２ビッ
トの情報である。この情報は、実施例１では「reserved_future_use」としていた。本実
施例の対応フォーマットの例を以下に示す。
【表５】
2009076154.tif 000007
【０１１１】
９０６は、「original_date_tag」であり、次に続く４４ビットのデータがオリジナル
の記録日時情報であることを示す４ビットの情報である。例えば１１１１などとする。
【０１１２】
９０７は、「original_date」であり、オリジナルの記録日時を示す４４ビットの情報
である。上位２０ビットは年月日を示しており、修正ユリウス日（ＭＪＤ）の下位２０ビットで符号化したものを用いる。この２０ビットのデータで１００年以上を判別することが可能である。下位２４ビットは時間を示し時分秒を６個の４ビット２進化１０進数（ＢＣＤ）で符号化したものを用いる。
【０１１３】
上記情報と現在日時を照合することでビットレートまたは／及び解像度または／及びフォーマットを変更してコピー制御を行うものとする。
【０１１４】
（コピー制御処理）
図１０を用いて蓄積用メモリ１１８に記録されたＴＳデータをＰＶＲ２０２にコピーする処理について説明する。図１０は、本実施例におけるＤＴＶ２０１の処理フローである。以下の処理は図８に示したシステム制御部１０７が各動作機能部を制御して更に外部機器制御部１１６を介してＰＶＲ２０２を制御するものである。よって、文中でＤＴＶ２０１の制御においては「システム制御部１０７」と言う記述を省略し、ＰＶＲ２０２の制御においては「外部機器制御部１１６を介する」と言う記述を省略する。
【０１１５】
図１０は、ＤＴＶ２０１が通常の放送を受信している状態において、コピーの指示が行われた際のフローである。実施例１の図５と同等の処理には同一のステップ番号が付されている。
【０１１６】
ステップＳ５０１〜Ｓ５０４は、コピーフリーの場合の処理である。
【０１１７】
ステップＳ１００１において、コピーフリーのデータでない場合、コピー制御部１１３はコピー制御情報に日時による制御項目があるかどうかを確認する。日時による制御項目は図９に示したコンテント利用記述子を利用したものが考えられる。コピー制御部１１３は、date_limit_mode９０３で日時およびビットレートによるコピー制御が行われている
かを検出し、オリジナルデータとコピーデータのコピー制御を決定する。date_limit_resolution９０４で対応するビットレートおよび解像度が指定され、 encode_type９０５で
対応するフォーマットが指定される。またコピー制御部１１３は、date_limit_period６
０５でコピー禁止期間を読み出し、copy_date_tag６０６及びcopy_date６０７でコピー日時を読み出す。num_of_date_limit９０２が１より大きい場合、コピー制御部１１３は、
複数のコピー制限の情報を読み出す。ここでは、ビットレート、解像度、フォーマット（エンコード）を総称して「データ形式」あるいは「ビットレート」と称する。
【０１１８】
ステップＳ１００２において、コピー制御部１１３は、オリジナルの記録日時と前回のコピー日時と内部時計の日時とを、ビットレートごとに比較する。各ビットレートについて、コピーの実行の可否が判断される。
【０１１９】
ステップＳ１００３において、いずれかのビットレートでコピー可と判断されたら、ステップＳ１００５へ移行し、すべてのビットレートに関してコピー否と判断されたら、ステップＳ１００４へ移行する。
【０１２０】
ステップＳ１００４において、コピー制御部１１３は、ビットレート別にコピー可能日時を表示する。図１１Ａにこの場合の画面表示例を示す。
【０１２１】
ステップＳ１００５において、コピー制御部１１３は、コピー可能なビットレートを表示する。このとき、コピー制御部１１３は、ビデオエンコーダ８０４、オーディオエンコーダ８０５の性能、あるいは、ＰＶＲ等の記録先装置の性能などを考慮して、推奨のビットレートやエンコードフォーマットのみを提示してもよい。図１１Ｂは、ビットレート等のコピー条件の画面表示例である。
【０１２２】
ステップＳ１００６において、視聴者はリモコン等で希望のビットレートを選択可能である。
【０１２３】
ステップＳ１００７において、視聴者により選択されたビットレートおよびエンコードフォーマットに対応する次回のコピー可能ビットレートと日時を表示する。図１１Ｃに選択および確認画面の表示例を示す。
【０１２４】
ステップＳ１００８において、上記設定にてコピーを行うかどうかを視聴者に確認する。
【０１２５】
ステップＳ１００９において、コピー制御部１１３はコピーを実行する場合はＳ１０１０へ移行し、コピーを行わない場合は終了する。
【０１２６】
ステップＳ１０１０において、コピー制御部１１３はコピーするＴＳデータのコピー制御情報として多重化するデータと、オリジナルのＴＳデータのコピー制御情報として多重化するデータをdate_limit_mode９０３の指定に従い作成する。
【０１２７】
ステップＳ１０１１において、コピー制御部１１３はコピーを作成する。蓄積用メモリ１１８のＴＳデータは内部蓄積制御部１１７、デマルチプレクサ８０１、ビデオエンコー
ダ８０４、オーディオエンコーダ８０５、マルチプレクサ８０６、外部機器制御部１１６の経路を通ってＰＶＲ２０２に記録される。その際、マルチプレクサ８０６にてコピーデータ用に作成されたコピー制御情報を多重化し、出力制限がある場合は外部機器制御部１１６にて暗号化を行う。
【０１２８】
ステップＳ１０１２において、コピー制御部１１３はオリジナルのＴＳデータのコピー制御情報の変更を行い終了する。オリジナルのＴＳデータのコピー制御情報の変更はコピーのＴＳデータの作成と同時に行ってもよく、読み出したデータを修正して記録できれば手段は選ばない。
【０１２９】
（コンテント利用記述子の設定例）
下記にコンテント利用記述子の設定例を示す。
【表６】
2009076154.tif 000008
【０１３０】
上記設定の解釈を下記に示す。
【表７】
2009076154.tif 000009
【０１３１】
日時制限モードの「Ｏ」はオリジナルデータのコピー制限モードの設定で、「Ｃ」はコピーデータのコピー制限モードの設定で、「継承」は元データの設定を継承することを意味し、「禁止」はコピー禁止を意味する。「ビットレート」はオリジナルのビットレート
に対する割合を示す。「フォーマット」はコピーするフォーマットの指定を示し、「ＭＰＥＧ２」は映像、音声共にＭＰＥＧ２でのエンコードを意味し、「Ｈ．２６４」は映像はＨ．２６４で音声はＡＡＣを意味する。「制限期間」はコピー日からのコピー禁止期間を示す。ビットレートが低いほど、コピー禁止期間の長さが短くなっている。なお、ビットレートと共に、あるいは、ビットレートの代わりに、解像度が設定されていてもよい。その場合も、解像度が低いほど、コピー禁止期間の長さが短いとよい。コピー日時はコピーが行われた日時を示す。
【０１３２】
表７の例では、前回のコピーが２００６年１０月１０日に行われているため、ビットレート１／１でＭＰＥＧ２のコピーは２００７年１０月１０日から可能となる。ビットレート１／２のＭＰＥＧ２又はＨ．２６４なら２００７年４月１０日からコピーが可能である。ビットレート１／４のＭＰＥＧ２又はＨ．２６４なら２００７年１月１０日から、ビットレート１／８のＭＰＥＧ２なら２００６年１２月１０日から、それぞれ可能となる。また、ビットレート１／１６のＨ．２６４なら制限なくコピー可能である。
【０１３３】
以上説明したように、本実施例では、放送番組のデータに日時およびビットレートによるコピー制御項目を追加し、時間管理部１１２において現在日時を常に監視し一定期間日時に大きな変動が起こっていないことを保証する。そして、コピー制御部１１３にて日時およびビットレートによるコピー制御項目の判定を行うことで、私的利用におけるビットレートまたは／及びフォーマットを変更したコピーを可能とする一方で、多量のコピー作成を抑制可能となる。さらに、低ビットレートのデータについては短期間でコピーを許可する仕組みが可能となる。
【０１３４】
＜実施例３＞
次に、本発明の実施例３を説明する。実施例１、２との差異は、ネットワークからコンテンツを受信する機能、及び、ネットワークを利用して時間管理を行う機能が追加されていることである。
【０１３５】
（システム構成）
図１３は、ネットワーク送受信機能を有するシステムの構成例を示す図である。実施例１の図２と同等の機能のものは同一の符号が付されている。
【０１３６】
１３０１は、インターネットである。インターネット１３０１は、共通の通信プロトコルを用いて全世界のネットワークを相互に接続したコンピュータネットワークである。インターネット１３０１には、専用線または公衆回線を用いインターネットサービスプロバイダを介して接続される。
【０１３７】
１３０２は、ＤＴＶ２０１をインターネット１３０１に接続するためのネットワークケーブルである。デジタルケーブル２０７がＬＡＮ接続の場合、ネットワークルーターを介してインターネット１３０１と接続できるため、ネットワークケーブル１３０２はデジタルケーブル２０７と共通化することができる。
【０１３８】
（ＤＴＶの構成）
図１２は、実施例３におけるＤＴＶ２０１の機能構成を示すブロック図である。実施例１の構成（図１）と同等の機能のものは同一の符号が付されている。
【０１３９】
１２０１は、インターネット上のサーバに接続するためのネットワーク送受信部である。ネットワーク送受信部１２０１はシステム制御部１０７と接続されており、システム制御部１０７の制御によってインターネット上のサーバとアクセスする。ネットワーク送受信部１２０１はコンテンツサーバからデジタルコンテンツデータを受信可能である。また
ネットワーク送受信部１２０１は、ＮＴＰ（Network Time Protocol）サーバから現在日
時を受信する。時間管理部１１２はＮＴＰサーバから取得した現在日時の情報を元に、内部時計の日時の修正、変動監視を行う。これにより、内部時計の日時の改ざんの実施ができないようにする。
【０１４０】
（コンテンツデータ受信処理）
コンテンツサーバからコンテンツデータを受信する処理を説明する。
【０１４１】
まず視聴者がリモコンＡ２０４等を用いてインターネットに接続し、デジタルコンテンツを提供するコンテンツサーバにアクセスする。リモコン操作は操作入力部１０９を経てシステム制御部１０７に入力される。
【０１４２】
次に、視聴者はコンテンツサーバが提供する番組ファイルの選択を行い、ダウンロードを実行する。コンテンツデータはネットワーク送受信部１２０１、システム制御部１０７を経てデマルチプレクサ１０２に入力される。ここではＴＳデータ形式のコンテンツデータを例示するが、コンテンツデータのフォーマットはこれに限られない。受信したコンテンツデータは、実施例１同様に映像データはＭＰＥＧ２ビデオデコーダ１０３、表示データ生成部１０４を経て表示部１１９に出力される。また、音声データはＭＰＥＧ２オーディオデコーダ１０５、Ｄ／Ａ変換部１０６を経てスピーカ１２０に出力される。
【０１４３】
録画処理、再生処理、コピー制御処理については、上記実施例１又は実施例２と同様の処理となる。
【０１４４】
ネットワークを介して受信するコンテンツデータについても、実施例１、２と同様のコピー制御を行うことで、実施例１、２と同様の作用効果が得られる。
【０１４５】
＜実施例４＞
次に、本発明の実施例４を説明する。実施例１〜３との差異は時間管理に電波時計を利用する点である。
【０１４６】
システム構成は、実施例１〜３のものと同様である。
【０１４７】
図１４は、実施例４におけるＤＴＶ２０１の機能構成を示すブロック図である。実施例１の構成（図１）と同等の機能のものは同一の符号が付されている。
【０１４８】
１４０１は、標準電波を受信するための電波時計受信部である。電波時計受信部１４０１はシステム制御部１０７と接続されており、システム制御部１０７の制御によって動作する。時間管理部１１２は電波時計受信部１４０１を介して現在日時の情報を取得し、内部時計の日時の修正、変動監視を行う。これにより、内部時計の日時の改ざんの実施ができないようにする。
【０１４９】
実施例４においても、上記実施例１〜３と同様のコピー制御を行うことにより、上記実施例１〜３と同様の作用効果が得られる。
【図面の簡単な説明】
【０１５０】
【図１】図１は、実施例１に係るＤＴＶの機能構成を示すブロック図である。
【図２】図２は、デジタル放送受信システムの構成例を示す図である。
【図３】図３は、コピー制御情報のデジタルコピー制御記述子の例を示す図である。
【図４】図４は、コピー制御情報のコンテント利用記述子の例を示す図である。
【図５】図５は、実施例１に係るコピー制御処理のフローチャートである。
【図６】図６は、実施例１に係るコピー制御情報のコンテント利用記述子の例を示す図である。
【図７Ａ】図７Ａは、実施例１に係るコピー不可の場合の画面表示例である。
【図７Ｂ】図７Ｂは、実施例１に係るコピー可になった場合の画面表示例である。
【図７Ｃ】図７Ｃは、実施例１に係る録画番組リストの画面表示例である。
【図７Ｄ】図７Ｄは、実施例１に係るコピーの確認の画面表示例である。
【図８】図８は、実施例２に係るＤＴＶの機能構成を示すブロック図である。
【図９】図９は、実施例２に係るコピー制御情報のコンテント利用記述子の例を示す図である。
【図１０】図１０は、実施例２に係るコピー制御処理のフローチャートである。
【図１１Ａ】図１１Ａは、実施例２に係るコピー不可の場合の画面表示例である。
【図１１Ｂ】図１１Ｂは、実施例２に係るコピー条件の画面表示例である。
【図１１Ｃ】図１１Ｃは、実施例２に係るコピーの確認の画面表示例である。
【図１２】図１２は、実施例３に係るＤＴＶの機能構成を示すブロック図である。
【図１３】図１３は、実施例３に係るデジタル放送受信システムの構成例を示す図である。
【図１４】図１４は、実施例４に係るＤＴＶの機能構成を示すブロック図である。
【符号の説明】
【０１５１】
１０１  チューナ部
１０２  デマルチプレクサ
１０３  ＭＰＥＧ２ビデオデコーダ
１０４  表示データ生成部
１０５  ＭＰＥＧ２オーディオデコーダ
１０６  Ｄ／Ａ変換部
１０７  システム制御部
１０８  ＣＡＭ
１０９  操作入力部
１１０  ファイル管理部
１１１  番組情報記憶部
１１２  時間管理部
１１３  コピー制御部
１１４  フレームメモリ
１１５  マルチプレクサ
１１６  外部機器制御部
１１７  内部蓄積制御部
１１８  蓄積用メモリ
１１９  表示部
１２０  スピーカ
１２１  制御信号バス
２０１  ＤＴＶ
２０２  ＰＶＲ
２０３  アンテナ
２０４、２０５  リモートコントロール
２０７  デジタルケーブル
８０１  デマルチプレクサ
８０２  ビデオデコーダ
８０３  オーディオデコーダ
８０４  ビデオエンコーダ
８０５  オーディオエンコーダ
８０６  マルチプレクサ
１２０１  ネットワーク送受信部
１３０１  インターネット
１３０２  ネットワークケーブル
１４０１  電波時計受信部
【図１】
2009076154.tif 000010
【図２】
2009076154.tif 000011
【図３】
2009076154.tif 000012
【図４】
2009076154.tif 000013
【図５】
2009076154.tif 000014
【図６】
2009076154.tif 000015
【図７Ａ】
2009076154.tif 000016
【図７Ｂ】
2009076154.tif 000017
【図７Ｃ】
2009076154.tif 000018
【図７Ｄ】
2009076154.tif 000019
【図８】
2009076154.tif 000020
【図９】
2009076154.tif 000021
【図１０】
2009076154.tif 000022
【図１１Ａ】
2009076154.tif 000023
【図１１Ｂ】
2009076154.tif 000024
【図１１Ｃ】
2009076154.tif 000025
【図１２】
2009076154.tif 000026
【図１３】
2009076154.tif 000027
【図１４】
2009076154.tif 000028